(57)【要約】【課題】  経年使用によって、導波器をブームに止着している締付具が外れた場合でも、導波器がブームに残存して長寿命に使用することができるアンテナを提供すること。【解決手段】  導波器の基部材は板状に形成されていて、基部材の板面の中央部には、ブームを貫通させる為の抱き抱え孔を備え、その上、基部材の上端部であって、抱き抱え孔の直上位置には、抱き抱え孔にブームを貫通させた状態で、ブームの周面に沿う状態となるようにブームの軸心方向に庇状に突設した張出部材を設ける。【選択図】    図１
2008205613.tif 000002
【特許請求の範囲】
【請求項１】
ブームと、上記ブームに支持された導波器とを備えるアンテナであって、
上記導波器はブームに取り付ける為の基部材と、
上記基部材の両側から夫々相反する方向で、かつ、上記ブームの軸線方向に直交する方向に突出させたエレメントを有するアンテナにおいて、
上記基部材は板状に形成されていて、
上記基部材の板面の中央部には、ブームを貫通させる為に、ブームの外周面に対応させた内径を有する抱き抱え孔を備え、
上記基部材の上端部であって、上記抱き抱え孔の直上位置には、上記抱き抱え孔にブームを貫通させた状態で、ブームの周面に沿う状態となるようにブームの軸心方向に庇状に突設した張出部材を設けたことを特徴とするアンテナ。
【発明の詳細な説明】
【技術分野】
【０００１】
本発明は、ブームに支持された導波器を備えるアンテナに関し、例えばＵＨＦ、その他の通信信号の送受をする場合に、ブームに導波器を備えさせて利用するアンテナ
【背景技術】
【０００２】
従来のアンテナとしては、ブームと、ブームに支持された導波器とを備え、上記導波器は、ブームに載置する受座と、上記受座の上面に載せるアンテナ素子と、アンテナ素子の元部を上から押さえるようにした押え片とを備えさせ、上記受座と押え片との間にアンテナ素子の元部を位置させて重合し、ブームに載置した状態でねじ棒とナットからなる締付具を用いて、ブームに対して止着したものが知られている（例えば、特許文献１参照）。
【０００３】
【特許文献１】実開昭５７−４８７０８号公報
【発明の開示】
【発明が解決しようとする課題】
【０００４】
この従来のアンテナにあっては、使用中において、強風や風の吹上げによりブームやアンテナ素子に風圧が加わって、導波器をブームに止着している締付具のねじが緩むことがある。さらに、経年使用によりこの状態が続くと、導波器における受座、アンテナ素子、押え片等が繰り返し持ち上げられ、ついに締付具が外れて、導波器が吹き飛んでしまい、所定のアンテナの利得が得られず、使用できなくなってしまう問題点があった。
このような問題点はブームに反射器を備えさせた場合も同様である。
【０００５】
本件出願の目的は、経年使用によって、導波器をブームに止着している締付具が外れた場合でも、導波器がブームに残存して長寿命に使用することができるアンテナを提供しようとするものである。
他の目的は、導波器における基部材の板厚を薄くして、導波器の重量を軽くでき、アンテナ全体を軽量化することができ、さらに、導波器を小嵩で風圧を受ける面積を小さくブームに対する負荷を小さくすることができるアンテナを提供しようとするものである。
他の目的は、手作業でブームに対して導波器を組付ける作業において、導波器の抱き抱え孔にブームを挿通させる場合、簡便で迅速に挿通作業ができるアンテナを提供しようとするものである。
他の目的及び利点は図面及びそれに関連した以下の説明により容易に明らかになるであろう。
【課題を解決するための手段】
【０００６】
本発明におけるアンテナは、ブーム２と、上記ブーム２に支持された導波器６とを備えるアンテナ１であって、上記導波器６はブーム２に取り付ける為の基部材７と、上記基部材７の両側から夫々相反する方向で、かつ、上記ブーム２の軸線方向に直交する方向に突出させたエレメント２５を有するアンテナ１において、上記基部材７は板状に形成されていて、上記基部材７の板面７ｂの中央部には、ブーム２を貫通させる為に、ブーム２の外周面２ａに対応させた内径を有する抱き抱え孔１０を備え、上記基部材６の上端部であって、上記抱き抱え孔１０の直上位置には、上記抱き抱え孔１０にブーム２を貫通させた状態で、ブーム2の周面に沿う状態となるようにブームの軸心方向に庇状に突設した張出部材１８を設けたものである。
【発明の効果】
【０００７】
以上のように本発明は、導波器６における基部材７の中央部にブーム２の外周面２ａに対応させた内径を有する抱き抱え孔１０を備えさせ、ブーム２の全周を抱えて止着しているので、締付具３０に対する負担割合は極めて小さくなる利点があり、さらに、経年使用により、ブーム２に対して導波器６を止着する締付具３０が外れた場合でも、導波器６はブーム２に対して軸心方向に直交する面は維持されて導波器６はブーム２に残存し、アンテナを長寿命に使用することができる特長がある。
【０００８】
さらに本発明は、基部材７における張出部材１８をブームの軸心方向に庇状に突設させ、ブーム２に対して締付具３０で締付ける為の十分な表面積が作られるようにしてあるので、基部材７の板厚を薄くでき、導波器６の重量を軽くできる特長がある。このことは、アンテナ全体を軽量化することができる効果がある。
さらに、上記のように基部材７の板厚を薄くできるので、導波器６を小嵩にして風圧を受ける面積を小さくすることができ、ブームに対する風圧による負担を小さくして、ブーム破損のおそれを少なくできる使用上の効果もある。
【０００９】
さらに本発明は、基部材７における張出部材１０をブーム２の外周面に沿わせる状態でブームの軸心方向に庇状に突設させてあるので、導波器をブーム２に組付ける作業において、導波器の抱き抱え孔１０にブーム２を挿通させる場合、張出部材１０を支えにしてブーム２の先端を位置決めすると、抱き抱え孔１０に対するブーム２の先端の位置決めができ、そのままブーム２をその軸心方向へ進行させれば、抱き抱え孔１０にブーム２を挿通させることができるので、迅速に挿通作業ができる作業上の効果がある。
【発明を実施するための最良の形態】
【００１０】
以下本発明の実施の形態を図１乃至図５を用いて説明する。
図１において、１はアンテナを示し、中空状に形成した周知のブーム２と、上記ブーム２に支持された導波器６とを備える。図示のアンテナ１は地上ディジタル放送の受信に利用されるＵＨＦアンテナを示し、４は放射器、５は反射器を示す。放射器４、反射器５、複数の導波器６は、夫々ブーム２の軸心方向に所定の間隔でブームに列設されている。
【００１１】
上記導波器６は、ブーム２に取り付ける為の基部材７と、上記基部材７の両側から夫々相反する方向で、かつ、上記ブーム２の軸線方向に直交する方向（ほぼ直交で、交差する方向）に突出させたエレメント２５、２５を有する。
上記基部材７は、周知のように合成樹脂材で成形されており、図示の如く板状に形成されている。基部材７は、図２に表れているように、板状の本体８及び板状の蓋体９の２部材を一体的に固着して形成してある。
上記基部材７の板面７ｂの中央部には、ブーム２の外周面２ａに対応させた内径を有する抱き抱え孔１０を備える。抱き抱え孔１０の内径寸法Ｄ２は、抱き抱え孔１０にブーム２を挿通できるように、ブームの外周径Ｄ１よりやや大きい寸法に設定してある（図２（Ａ）、図３参照）。さらに、抱き抱え孔１０の周面１１の形状は、ブーム２に対し挿通した状態で、ブーム周面に軽く接して、軸心２ｂから放射方向への一体性が得られるように、ブーム２の外周面２ａに対応する形状にしてある（図２（Ａ）参照）。
【００１２】
１４は、基部材７の両端側に備えられた後述のエレメント２５、２５を一体的に固着する為の把持部を示す。図４に表れる１５は、基部材７の本体８側に形成された凹部を示し、エレメント２５の元部25ｄを掛止し、エレメント２５が矢印３９方向に抜け脱を阻止できるようにしてある。１６は、両端の把持部１４をエレメント２５の形状に沿って形成した切欠部で、基部材７の風の受圧面積を小さくできる。
【００１３】
次に、上記基部材７の上端部７ａであって、上記抱き抱え孔１０の直上位置（図１（Ｂ）に表れるようなアンテナ設置状態において上方位置）には、ブーム2の周面２ａに沿わせる状態でブームの軸心方向に庇状に突設した張出部材１８を設けている。張出部材１８は基部材７における本体８と一体材で形成してあり、その張出寸法Ｌ２は、ブーム２に対して締付具３０（ねじ棒30a、蝶ねじ30ｂ又はリベット30c等）を用いて締付ける為の十分な表面積が作られるような寸法に設定してある。これにより、基部材７の板厚寸法Ｌ１を薄く設定することができる。（例えば、基部材７の板厚寸法Ｌ１：10mm、張出寸法Ｌ２：13mm）
１９は張出部材１８の下面に形成された当て面を示し、図３、４に良く表れるように、抱き抱え孔１０に挿通するブーム２の周面２ａに沿うように凹状に形成してある。
２０は、張出部材１８に備えられた取付部として例示する透孔を示し、ねじ棒30ａを貫通させてブーム２に締付け固定するのに用いられる。
なお、締付具３０としては、ねじ棒30ａを例示したが、図３（Ｂ）に表れるように、リベット30cを用いてかしめ手段によって固着するようにしてもよい。さらに、締付具３０の材料として、金属材料、プラスチック材料を用いてもよい。
次に、当て面１９は図２（Ｅ）に示されるように、ブーム２の周面２ａ形状に対応させて円弧状に形成してもよい。
【００１４】
エレメント２５は、広く知られたループアンテナを示す。25ａは水平方向に長い上部導波素子、25bは上部放射素子25ａより下方に略平行に配設される下部導波素子、25ｃは上部放射素子25ａと下部導波素子25ｂの両端部を結ぶ側部導波素子を示し、上部放射素子25ａと下部導波素子25ｂとがスタック状に配置されるようにしてある。
なお側部導波素子25ｃは、必要に応じて設けるものであってこれを省略しても良い。すると、図４（A）、（B）における側部導波素子25ｃは存在しないことになる。このように上部放射素子25ａと下部導波素子25ｂの両端部は夫々自由端（開放端）にしておいても良い。
エレメント25は、直径３ｍｍの金属棒を所定長に折り曲げ形成し、両端を結合部材２７を用いて溶接手段により連結してある。しかし、図２（Ｂ）において波線で示すように、結合部材２７を用いることなく金属棒の両端を直接溶接手段により連結してもよい。
なお、エレメント２５は、導電材料で形成すればよく、周知のように金属パイプで形成しても、導電材をプレス加工したものでもよい。さらに、細い線材をループ状に形成したものを樹脂で一体成形してもよい。
次に、エレメント２５の基部材７に対する固着手段は、図４を用いて上述したようにした例を説明したが、基部材７（本体８、蓋体９）と、エレメント２５との全てを鋳込みにより一体成型してもよい。
【００１５】
上記構成のものを用いて、手作業で導波器６をブーム２に対して組立てる作業について説明する。
まず、導波器６を図５に示されるように、張出部材１８が下になるように位置させる。ブーム２の先端を張出部材１８の当て面１９の上に置く。すると図５に表れるように、ブーム２は、抱き抱え孔１０に対して位置決めされる。そのままブーム２をその軸心方向（矢印４０方向）へ進行させると、ブーム２は抱き抱え孔１０に挿通される（図５（Ａ）に示される一点鎖線で示される状態）。
引き続きブーム２を進行させ、ブーム２における導波器６の支持固定の予定位置まで進行したら、図３に表れるように張出部材１８における取付孔２０とブーム２の透孔３を合わせ、ねじ棒30ａを貫通させ、蝶ねじで締付ける。
さらに、残りの導波器（図１に示されるアンテナ１の場合は、残りの４個）についても同様にすればよい。
以上のように、導波器をブーム２に組付ける作業において、導波器の抱き抱え孔１０にブーム２を挿通させる場合、ブーム２の先端を張出部材１８の当て面１９の上に置いて、それを支えにしてブーム２を押し込むだけで挿通できるので、簡便でかつ、迅速に挿通作業をすることができる特長がある。
なお、図１に示される反射器５についても、上記した導波器６の基部材７、抱き抱え孔１０、張出部材１８から成る構成の部分を同様の考えで構成すると、上記した［発明が解決しようとする課題］を解決することができる。その場合、本件明細書において、「導波器」は「反射器」と読み替えて理解することができる。
【図面の簡単な説明】
【００１６】
【図１】アンテナを説明する為の概略図で、（Ａ）は上面図、（Ｂ）は側面図。
【図２】導波器におけるエレメントと、基部材と、基部材における抱き抱え孔、把持部、張出部材の関係を説明する為の概略図で、（Ａ）は正面図、（Ｂ）は背面図（なお、図４とは、エレメントの結合部の異なる例を波線で示す）、（Ｃ）は上面図、（Ｄ）は左側面図、（Ｅ）は（Ａ）の張出部材とは異なる例を示す一部破断図。
【図３】図１におけるIII-III断面図。
【図４】導波器を説明する為の斜視図で、（Ａ）は基部材における本体と蓋体を分解した状態の図、（Ｂ）は基部材における本体と蓋体を固着した状態の図
【図５】導波器の抱き抱え孔にブームを挿通させる作業を説明する為の一部破断した断面図で、導波器にあっては、図４（Ｂ）に示されるＶ−Ｖ線位置の断面図を示したもの。
【符号の説明】
【００１７】
１・・・ＵＨＦアンテナ、２・・・ブーム、３・・・透孔、４・・・放射器、５・・・反射器、６・・・導波器、７・・・基部材、１０・・・抱きかかえ孔、１１・・・周面、１４・・・把持部、１５・・・凹部、１６・・・切欠部、１８・・・張出部材、１９・・・当て面、２２・・・取付部、２５・・・エレメント（ループアンテナ）、２６・・・本体、２７・・・結合部材、３０・・・締付部材
【図１】
2008205613.tif 000003
【図２】
2008205613.tif 000004
【図３】
2008205613.tif 000005
【図４】
2008205613.tif 000006
【図５】
2008205613.tif 000007